(57)【要約】【課題】ポンプ機構体を取り付けることができる簡易な装置を用いながら、その装置によって力の要しない手の動きによりポンプ機構体のノズルヘッドが押し下げられるようにし、手の疲労を軽減しながらポンプ機構体を利用した液体の吐出が簡単に行なえるようにする。【解決手段】ポンプ機構体Ｂを取り付けるポンプ取付部２０と手で持つことのできるグリップ２１とを備える装置本体２に、トリガー３を回動可能に支持させ、ポンプ機構体ＢのノズルヘッドＣに着脱可能に連結される押下ステー４を、前記トリガー３の引き込み方向の回動に応じてノズルヘッドＣの押し下げ方向に回動させるようにした。【選択図】      図１
2004267970.tif 000002
【特許請求の範囲】
【請求項１】
ノズルヘッドの押し下げによりノズルからの吐出を行なう機構を有したポンプ機構体が取付可能なポンプ取付部と手で持つことのできるグリップとを備える装置本体と、前記装置本体に回動可能に支持されて前記グリップ側から指掛けできるトリガーと、前記ポンプ機構体のノズルヘッドに着脱可能に連結され、前記トリガーの引き込み方向の回動に応じて前記ノズルヘッドの押し下げ方向に回動してノズルヘッドを押し下げる押下ステーとからなることを特徴とするポンプ用トリガー装置。
【請求項２】
上記ノズルの内容物吐出方向を上記トリガーの引き込み方向とは逆方向に向くようにポンプ機構体の回転止めを行なうアダプタが、上記ポンプ取付部に設けられている請求項１に記載のポンプ用トリガー装置。
【請求項３】
上記ポンプ取付部には、該ポンプ取付部に取り付けたポンプ機構体へ吐出液体を導入する吸引チューブが取付可能なチューブ取付手段が設けられている請求項１または２に記載のポンプ用トリガー装置。
【請求項４】
上記装置本体は側面に指置き段部を備え、上記グリップにかけた手の指が指置き段部に添え置きできる構成とした請求項１から３の何れか一項に記載のポンプ用トリガー装置。
【発明の詳細な説明】
【０００１】
【発明の属する技術分野】
本発明は押し下げノズルヘッドを備えるポンプ機構体を取り付けることのできるトリガー装置に関するものである。
【０００２】
【従来の技術】
従来から手持ちできるポンプ容器としては、ボトル状の容器本体の口部に液体の内容物を吸い上げできるポンプ機構体を配し、容器上部に位置するノズルヘッドの押し下げ操作によってそのポンプ機構体部分に吸い上げられていた内容物を液状のまま、或いは霧状、泡状などとして吐出するタイプのものがあり、指でノズルヘッドを押し下げるという簡易な操作で内容物が出ることから、各種の用途に利用されている（例えば、特許文献１参照）。特に、内容物として洗浄液を収容し、汚れた面に霧状や泡状として吹き付けた洗浄液の汚れ落とし効果が良好であることから、洗浄液を吹き出させるための容器として、このポンプ容器が用いられている。
【０００３】
【特許文献１】
実公平５−３９０８０号公報（第１頁）
【０００４】
【発明が解決しようとする課題】
しかしながら、このポンプ容器を用いた洗浄剤の吐出作業を継続的に行なう場合、そのポンプ容器を持つ手の指でノズルヘッドを押し下げる動作を繰り返さなければならず、作業者の手が疲労し易くなるという問題がある。そのため、ポンプ容器単体としての有用性は認められているものの、指で押し下げ動作することなく吐出の繰り返しを継続的に行なえるようにしたいとの要望がある。
そこで本発明は上記事情に鑑み、ポンプ機構体を取り付けることができる簡易な装置を用いながら、その装置によって力の要しない手の動きによりノズルヘッドが押し下げられるようにすることを課題とし、手の疲労を軽減しながらポンプ機構体を利用した液体の吐出が簡単に行なえるようにすることを目的とする。
【０００５】
【課題を解決するための手段】
本発明は上記課題を考慮してなされたもので、ノズルヘッドの押し下げによりノズルからの吐出を行なう機構を有したポンプ機構体が取付可能なポンプ取付部と手で持つことのできるグリップとを備える装置本体と、前記装置本体に回動可能に支持されて前記グリップ側から指掛けできるトリガーと、前記ポンプ機構体のノズルヘッドに着脱可能に連結され、前記トリガーの引き込み方向の回動に応じて前記ノズルヘッドの押し下げ方向に回動してノズルヘッドを押し下げる押下ステーとからなることを特徴とするポンプ用トリガー装置を提供して、上記課題を解消するものである。
そして、本発明において、上記ノズルの内容物吐出方向を上記トリガーの引き込み方向とは逆方向に向くようにポンプ機構体の回転止めを行なうアダプタが、上記ポンプ取付部に設けられていることが良好である。
また、上記ポンプ取付部には、該ポンプ取付部に取り付けたポンプ機構体へ吐出液体を導入する吸引チューブが取付可能なチューブ取付手段が設けられていることが良好である。
さらに、上記装置本体は側面に指置き段部を備え、上記グリップにかけた手の指が指置き段部に添え置きできる構成とすることが良好である。
【０００６】
【発明の実施の形態】
つぎに本発明を図１から図８に示す実施の形態に基づいて詳細に説明する。
図中１はポンプ用トリガー装置で、図１に示すように前記トリガー装置１は、ポンプ容器Ａに対してその上部から側方にかけて組み付けられるものであり、ポンプ容器Ａをその側方から保持する装置本体２と、前記装置本体２に回動可能に支持されているトリガー３と、図示のように前記装置本体２からポンプ容器Ａのポンプ機構体ＢにおけるノズルヘッドＣに掛けられている押下ステー４とからなるものである。
【０００７】
まず、上記装置本体２は、ポンプ容器Ａが配される位置となる環状のポンプ取付部２０と手で握ることのできるグリップ２１とを備えたものであり、前記ポンプ取付部２０からポンプ容器Ａの側方に向けて連結部２２が延設され、該連結部２２の延設端部２３側からこの連結部２２の延設方向の斜め下方に向けてグリップ２１を延設している。
この装置本体２は、例えば合成樹脂材などから成形された図２に示す半割体２ａ，２ｂを組み合わせてから半割体２ａ，２ｂ同士をビス止めしている。そして、前記連結部２２の延設端部２３には半割体２ａ，２ｂを上方に延設して互いに離間した壁部２４それぞれに支持部２５があり、上記グリップ２１の前面（ポンプ容器Ａ側）を開放した空所から前記壁部２４の間までに亘る空間２６に上記トリガー３が配され、トリガー３の上部の枢着部３０を前記支持部２５を回転自由に挟み込むようにすることで、このトリガー３がポンプ容器Ａに近接する位置から前記グリップ２１内の空所位置までの範囲で回動可能に支持されている。
【０００８】
押下ステー４は図示されているように上記トリガー３の枢着部３０を介してトリガー３と一体に設けられており、前記枢着部３０が上記支持部２５で回転可能に支持されていることから、トリガー３と押下ステー４とは枢着部３０を回転中心として回動方向を同じにして同時に回動するものである。即ち、グリップ２１を持って、その手の指を前記トリガー３における指掛け部３１に掛けてグリップ２１側に引く操作をすれば、押下ステー４は枢着部３０を中心として回動し、また、指掛け部３１を戻せばこの押下ステー４も戻る方向に回動する。
押下ステー４は側方から見た形状が略弧状となるように形成されて、連結部２２の延設端部２３から立ち上がる壁部２４の位置から上記ポンプ容器ＡのノズルヘッドＣに掛けられている。前記ノズルヘッドＣに掛かる押下ステー４の先端は二つの縦板部４０が離間してなる二股状とされ、前記ノズルヘッドＣに被せ付けるノズルヘッドカバー５がこの縦板部４０の間に位置している。
【０００９】
図示されているようにノズルヘッドカバー５はノズルを覆うことなくノズルヘッドＣの上面から着脱可能に被せ付けられるものであり、側方（ノズル吐出方向に対して直交する方向）に張り出る円柱状突起５０が、上記縦板部４０に設けられている長孔４１に移動可能にして、かつ回転可能に係止している（図２参照）。即ち、ノズルヘッドカバー５は長孔４１の範囲で移動可能であり、その長孔４１に係止した状態で回転可能に支持されている。このように本トリガー装置１では、ノズルヘッドカバー５をノズルヘッドＣに被せ付けることで、このノズルヘッドカバー５を介して上下方向に直線的に移動するノズルヘッドＣと上記枢着部３０を中心として回動する押下ステー４とが連結されている。
【００１０】
上記ノズルヘッドカバー５においては、ノズルヘッドＣの通常の上下移動、即ち、押下ステー４による押し下げやノズルヘッドＣの戻りが繰り返されてもノズルヘッドＣからは外れないようにしなければならない。また、逆にポンプ機構体Ｂの交換などに際してはノズルヘッドＣとこのノズルヘッドカバー５とを分離する必要があり、ノズルヘッドＣが上昇しないように押さえた状態で押下ステー４を上げる操作をしたときに、ノズルヘッドＣからこのノズルヘッドカバー５が外れるようにしている。
このように通常の状態ではノズルヘッドＣからは外れず、必要時にのみノズルヘッドＣを上方に移動しないように保持した状態で押下ステー４を上げたときに外れるようにするために、このノズルヘッドカバー５においては、図６に示されているようにノズルＤに沿って舌片５１を延設し、ノズルＤの下部に係止する爪５２を前記舌片５１に設けていて、この爪５２の係合度合いが前述の条件を満足するように設定されている。
【００１１】
上記装置本体２のポンプ取付部２０には、ポンプ容器Ａの回転止めを行なう略円筒状のアダプタ６が配置され、上記半割体２ａ，２ｂそれぞれの保持部形成部分２０ａ，２０ｂに位置させながら二つの半割体２ａ，２ｂ同士を結合することで、このアダプタ６が装置本体２に取り付けられており、取付部形成部分２０ａ，２０ｂそれぞれの内周に亘る凹溝部分に、前記アダプタ６の外周面周りに形成された突堤部分を嵌め入れるようにしている。そして、アダプタ６の取付部形成部２０ａ側に相対する部分に位置決め突起６０があり、取付部形成部２０ａに設けた係止凹部２７にその突起６０を対応させている（図３参照）。
さらに上記アダプタ６は下部にポンプ容器Ａの容器本体Ｅの口部が連結され、上部にはポンプ機構体Ｂが連結されていて、ポンプ機構体Ｂの吸い上げチューブＦがアダプタ６を介して容器本体Ｅに達するようにしている。このようにしてポンプ機構体Ｂは装置本体２のポンプ取付部２０に設けたアダプタ６により装置本体２に取り付けられて、ポンプ容器Ａがポンプ取付部２０に位置するように保持されている。
図示の例ではアダプタ６がポンプ容器Ａの容器本体Ｅとポンプ機構体Ｂとの間に位置するようにして組み入れられていて、ポンプ機構体Ｂをこのアダプタ６に取り付けたときには、アダプタ６に対してノズルＤの向きを常に一定にしており、例えば、図示のようにアダプタ６にポンプ機構体Ｂを螺着して締め終わるときのノズルＤが向く方向ｄ（吐出方向）を、アダプタ６を上方から見た状態で上記突起６０の位置から反時計回り方向で９０度となる向きにしている。
このようにアダプタ６はポンプ取付部２０の係止凹部２７に位置決め突起６０が位置することで回転せず、また、アダプタ６に対して吐出方向となるノズルＤの向きが一定となるようにポンプ容器Ａが取り付けられているため、装置本体２をポンプ容器Ａに組み付けて、後述するように内容物の吐出操作などを繰り返してもポンプ容器Ａは回転しないようになり、ポンプ容器Ａにセットしたポンプ容器用トリガー装置１の前方に常時ノズルＤの吐出方向が揃えられている。
【００１２】
ポンプ容器用トリガー装置１は上述のようにしてポンプ容器Ａに取り付けてこのポンプ容器Ａとトリガー装置１とが一体となるようにする。そして、ポンプ容器Ａに取り付けた前記トリガー装置１において内容物の吐出操作を行なわない不使用の状態では、図４に示すようにポンプ容器Ａのポンプ機構体Ｂの内部に配置されている図示しないスプリングの働きでノズルヘッドＣが上方に向けて押し上げられていて、このノズルヘッドＣに連結している押下ステー４が起きた位置にあり、トリガー３の指掛け部３１はグリップ２１から離れている。勿論、このときの指掛け部３１は容器本体Ｅに接触せず、グリップ２１を握る手の指先を掛けることができる位置にある。
ポンプ容器ＡのノズルヘッドＣを押し下げるには、上記指掛け部３１を引くようにすればよく、この指掛け部３１をグリップ２１側に引き込むことで押下ステー４はその先端が下がるように回動し、この押下ステー４の先端にノズルヘッドカバー５を介して連結しているノズルヘッドＣが押し下げられ、このノズルヘッドＣの押し下げによってノズルＤから内容物の吐出が行われるようになる（図５参照）。そして、前記指掛け部３１を引き込んでいる力を緩めれば、前述したノズルヘッドＣを押し上げているスプリングの作用によってノズルヘッドＣが持ち上がり、押下ステー４が起きて指掛け部３１も引き込み前の位置へと戻るようになる。
【００１３】
このようにトリガー３の引きを繰り返すことでノズルヘッドＣがその都度押し下げられ、内容物の吐出が行われる。そして、トリガー３を引くという操作自体にはそれ程大きな力を要するものではなく、トリガー３を繰り返し引くようにしても疲れることなく内容物の吐出が行なえるようになる。
【００１４】
上記装置本体２における上記連結部２２は略板状とされ、グリップ２１の上部近傍位置に指置き段部２８が形成されている。このように指置き段部２８を有していることから前記グリップ２１にかけた手の人差し指を添え置くことができ、中指、薬指、小指の三本の指を指掛け部３１に掛けてトリガー３を引く操作を行なうときに、人差し指を指置き段部２８に添え置きながら装置本体２にあてがうことで装置全体の振れを抑えて、吐出方向が定め易くなる。
【００１５】
上記ポンプ容器用トリガー装置１のトリガー３やグリップ２１などについて位置や傾斜を変えてトリガー引きの操作性を検討した。
その結果、トリガー３の指掛け部３１における指掛け面３１ａについては、指を掛けない状態であるトリガー待機位置において、指掛け面３１ａが上記支持部２５を通る垂線２５ａ上の位置やこの垂線２５ａよりポンプ取付部２０側に寄った位置であることがよく、そのようにすることでトリガー３のストローク長を大きくとることが可能となり、トリガー３を引く操作性が良好となった。
また、待機位置にトリガー３があるときの指掛け面３１ａとグリップ２１における手受け面２１ａとの傾斜について、前記指掛け面３１ａでは、約０度から約１３度（垂線２５ａ方向から時計回りの角度）の範囲が良好であり、また、手受け面２１ａでは、約２２度から約１３度（垂線２５ａ方向から反時計回りの角度）の範囲が良好である。特に、指掛け面３１ａを約１３度（垂線２５ａ方向から時計回りの角度）とし、手受け面２１ａを、約１３度（垂線２５ａ方向から反時計回りの角度）とする場合に、装置全体のコンパクト化が図れるようになる。
さらに、上記ポンプ機構体ＢにおけるノズルヘッドＣの中心線から上記支持部２５までの距離Ｘ１と、トリガー３が待機位置にあるときの押下ステー４とノズルヘッドＣとの連結高さ位置から支持部２５の高さ位置までの距離Ｘ２とを同じにすることが良好であることが判明した（図７参照）。
【００１６】
上記実施の例ではポンプ容器Ａをトリガー装置１のポンプ取付部２０に取り付けるに際してアダプタ６を介在させているが、本発明はこの実施の形態に限定されるものではなく、アダプタを配さずにポンプ容器Ａのポンプ機構体Ｂや容器本体Ｅの部分を、これらに対応する構造としたポンプ取付部２０で直接支持する構成としてもよい。
また、実施の例では、装置本体２をビス止めした二つの半割体からなるものとし、ポンプ容器Ａを装置本体２のポンプ取付部２０に固定的に組み付けるものとして例示されているが、ポンプ容器Ａをポンプ取付部２０に着脱可能にして取り付けるようにすることも可能である。
【００１７】
例えば図８に示すポンプ用トリガー装置１は上記ポンプ機構体Ｂを単体としてセットできるようにしたものである。このポンプ用トリガー装置１ではアダプタ６が一対の半割体６ａ，６ｂからなり、上記半割体２ａ，２ｂにそれぞれ一体としている。そして半割体６ａ，６ｂからなるアダプタ６は、上記実施の例と同じように上部がポンプ機構体Ｂが取り付けできる円筒状としているが、下部は先細りしたロート状に形成されていて、下端開口部６１にこの下端開口部６１に通る図示しない吸引チューブを保持するためのクリップ６２がネジ付けしてチューブ取付手段が構成されている。
このポンプ用トリガー装置１にセットするポンプ機構体Ｂは吸引チューブを長尺としているものであり、ポンプ用トリガー装置１とは別体である大型容器、或いは貯蔵タンクを供給元として、その供給元に長尺な吸引チューブの末端を達しさせ、ポンプ用トリガー装置１のトリガー引き操作で洗浄液などを吸引して吐出できるようにする。
図示において、グリップ２１の下端には吸引チューブを掛けるフック２９が設けられている。
なお、この実施の例では下部をロート状としたアダプタ６が装置本体２に一体化されているが、上記実施の例と同様に別体としてもよい。
【００１８】
【発明の効果】
以上説明したように本発明によれば、ノズルヘッドの押し下げによりノズルからの吐出を行なう機構を有したポンプ機構体が取付可能なポンプ取付部と手で持つことのできるグリップとを備える装置本体と、前記装置本体に回動可能に支持されて前記グリップ側から指掛けできるトリガーと、前記ポンプ機構体のノズルヘッドに着脱可能に連結され、前記トリガーの引き込み方向の回動に応じて前記ノズルヘッドの押し下げ方向に回動してノズルヘッドを押し下げる押下ステーとからなることを特徴とするものである。
このように本トリガー装置ではトリガーの引きによって押下ステーの先端が下りる方向に回動するものであることから、本トリガー装置とポンプ機構体とを組み合わせれば、複数の指を掛けてトリガーを引くという比較的力を要しない簡易な操作でポンプ機構体のノズルヘッドを押し下げることができるようになり、ポンプ機構体を利用した内容物の吐出作業を、労力を要することなく継続的に行なえるようになる。
【００１９】
また、ノズルの内容物吐出方向を上記トリガーの引き込み方向とは逆方向に向くようにポンプ機構体の回転止めを行なうアダプタが、上記ポンプ取付部に設けられているものとすることで、本トリガー装置を利用した内容物の吐出操作を連続的に行なってもポンプ機構体が回転せず、ポンプ機構体におけるノズルの吐出方向を常時一定とさせることができ、よって、トリガー装置を持った手操作で内容物と吐出方向を定めることができる。
そして、装置本体におけるポンプ取付部に、ポンプ取付部に取り付けたポンプ機構体へ吐出液体を導入するする吸引チューブが取付可能なチューブ取付手段を設けることで、長尺な吸引チューブを有するポンプ機構体をセットした場合でもトリガー操作にその吸引チューブが干渉せず、トリガー装置の取回しが容易になる。
さらに、装置本体は側面に指置き段部を備え、グリップにかけた手の人差し指が指置き段部に添え置きできる構成とすることで、装置全体の振れを抑えたトリガー引き操作を行なうことができ、内容物と吐出方向を定め易くなるなど、実用性に優れた効果を奏するものである。
【図面の簡単な説明】
【図１】本発明に係るポンプ用トリガー装置の一例を示す説明図である。
【図２】一例を分解した状態で示す説明図である。
【図３】アダプタの位置決め突起と対応する凹部とを示す説明図である。
【図４】ノズルヘッドを押し下げていない時の状態を示す説明図である。
【図５】ノズルヘッドを押し下げた時の状態を示す説明図である。
【図６】ノズルヘッドカバーを示す説明図である。
【図７】実施の例を概略的に示す説明図である。
【図８】他の実施の例を分解した状態で示す説明図である。
【符号の説明】
１…ポンプ用トリガー装置
２…装置本体  ２０…ポンプ取付部  ２１…グリップ  ２５…支持部  ２７…凹部  ２８…指置き段部  ２９…フック
３…トリガー  ３１…指掛け部
４…押下ステー  ４１…長孔
５…ノズルヘッドカバー  ５１…舌片  ５２…爪
６…アダプタ  ６０…位置決め突起  ６１…下端開口部  ６２…クリップ
Ａ…ポンプ容器
Ｂ…ポンプ機構体
Ｃ…ノズルヘッド
Ｄ…ノズル
Ｅ…容器本体
【図１】
2004267970.tif 000003
【図２】
2004267970.tif 000004
【図３】
2004267970.tif 000005
【図４】
2004267970.tif 000006
【図５】
2004267970.tif 000007
【図６】
2004267970.tif 000008
【図７】
2004267970.tif 000009
【図８】
2004267970.tif 000010